(57)【要約】【課題】スライドショーを表示する場合に、画像に任意のキャプションを重畳して表示する。【解決手段】電子アルバム表示システムであって、複数の画像を含むビデオストリームを格納しているビデオストリーム格納部と、ビデオストリームを再生する再生部と、再生部を遠隔操作するリモートコントローラとを備え、リモートコントローラは、画像を再生するスケジュール、及び画像に重畳して表示されるキャプションを示すキャプション情報を格納しているスケジュール格納部と、スケジュールに従って画像を再生させるべく再生部を遠隔操作する遠隔操作部と、再生されている画像に対応するキャプション情報を送信するキャプション情報送信部とを有し、当該電子アルバム表示システムは、ビデオストリームにキャプションを重畳するキャプション重畳部と、ビデオストリームを表示する表示部とを更に備える電子アルバム表示システムを提供する。【選択図】図１
2005341512.tif 000002
【特許請求の範囲】
【請求項１】
複数の画像を含む電子アルバムを表示する電子アルバム表示システムであって、
前記複数の画像をフレーム画像として含むビデオストリームを格納しているビデオストリーム格納部と、
前記ビデオストリームを再生する再生部と、
無線通信によって前記再生部を遠隔操作するリモートコントローラと
を備え、
前記リモートコントローラは、
前記複数の画像のうち、少なくとも一部の画像を再生するスケジュール、及び前記少なくとも一部の画像のそれぞれについて、当該画像に重畳して表示されるキャプションを示すキャプション情報を格納しているスケジュール格納部と、
前記少なくとも一部の画像のそれぞれを前記スケジュールに従って再生させるべく、前記再生部を遠隔操作する遠隔操作部と、
前記再生部により再生されている前記画像に対応する前記キャプション情報を、無線通信によって送信するキャプション情報送信部と
を有し、
当該電子アルバム表示システムは、
前記キャプション情報送信部が送信した前記キャプション情報を受信して、当該キャプション情報により示されるキャプションを、前記再生部が再生した前記ビデオストリームに重畳するキャプション重畳部と、
前記キャプション重畳部によりキャプションが重畳された前記ビデオストリームを表示する表示部と
を更に備える電子アルバム表示システム。
【請求項２】
前記リモートコントローラは、
当該リモートコントローラから前記表示部への方向に対して略同一の方向に指向性を有する、光を検出する光検出部と、
前記光検出部により検出された光の量の変化に基づいて、前記表示部により表示されている前記画像が変化するタイミングを検出する画像変化検出部と
を更に有し、
前記キャプション情報送信部は、前記遠隔操作部が、前記少なくとも一部の画像に含まれる一の前記画像を再生させるべく前記再生部を遠隔操作した後で、前記画像変化検出部が、前記表示部により表示されている前記画像の変化を検出したタイミングに同期して、当該一の画像に対応する前記キャプション情報を送信する
請求項１に記載の電子アルバム表示システム。
【請求項３】
前記リモートコントローラは、
前記キャプション情報を入力するキャプション情報入力部
を更に有し、
前記スケジュール格納部は、前記キャプション情報入力部によって入力された前記キャプション情報を、前記再生部により再生されている前記画像に対応付けて格納する
請求項１に記載の電子アルバム表示システム。
【請求項４】
複数の画像を含む電子アルバムを表示する電子アルバム表示システムであって、
前記複数の画像をフレーム画像として含むビデオストリームを格納しているビデオストリーム格納部と、
前記ビデオストリームを再生する再生部と、
無線通信によって前記再生部を遠隔操作するリモートコントローラと、
前記再生部により再生される前記ビデオストリームを表示する表示部と
を備え、
前記リモートコントローラは、
前記複数の画像のうち、少なくとも一部の画像を再生するスケジュール、及び前記少なくとも一部の画像のそれぞれについて、当該画像が表示されている場合に再生されるナレーションを示すナレーション情報を格納しているスケジュール格納部と、
前記少なくとも一部の画像のそれぞれを前記スケジュールに従って再生させるべく、前記再生部を遠隔操作する遠隔操作部と、
前記再生部により再生されている前記画像に対応する前記ナレーション情報に基づいて、前記ナレーションを再生するナレーション再生部と
を有する電子アルバム表示システム。
【請求項５】
前記リモートコントローラは、
当該リモートコントローラから前記表示部への方向に対して略同一の方向に指向性を有する、光を検出する光検出部と、
前記光検出部により検出された光の量の変化に基づいて、前記表示部により表示されている前記画像が変化するタイミングを検出する画像変化検出部と
を更に有し、
前記ナレーション再生部は、前記遠隔操作部が、前記少なくとも一部の画像に含まれる一の前記画像を再生させるべく前記再生部を遠隔操作した後で、前記画像変化検出部が、前記表示部により表示されている前記画像の変化を検出したタイミングに同期して、当該一の画像に対応する前記ナレーション情報に基づく前記ナレーションの再生を開始する
請求項４に記載の電子アルバム表示システム。
【請求項６】
前記リモートコントローラは、
前記ナレーション情報を入力するナレーション情報入力部
を更に有し、
前記スケジュール格納部は、前記ナレーション情報入力部によって入力された前記ナレーション情報を、前記再生部により再生されている前記画像に対応付けて格納する
請求項２に記載の電子アルバム表示システム。
【請求項７】
複数の画像を含む電子アルバムを表示する電子アルバム表示方法であって、
ビデオストリーム格納部は、前記複数の画像をフレーム画像として含むビデオストリームを格納しており、
当該電子アルバム表示方法は、
再生部が前記ビデオストリームを再生する再生段階と、
リモートコントローラが無線通信によって前記再生部を遠隔操作するリモートコントロール段階と
を備え、
前記リモートコントローラは、
前記複数の画像のうち、少なくとも一部の画像を再生するスケジュール、及び前記少なくとも一部の画像のそれぞれについて、当該画像に重畳して表示されるキャプションを示すキャプション情報を格納しているスケジュール格納部
を有し、
前記リモートコントロール段階は、
前記少なくとも一部の画像のそれぞれを前記スケジュールに従って再生させるべく、前記再生部を遠隔操作する遠隔操作段階と、
前記再生部により再生されている前記画像に対応する前記キャプション情報を、無線通信によって送信するキャプション情報送信段階と
を有し、
当該電子アルバム表示方法は、
前記キャプション情報送信段階において送信された前記キャプション情報を受信して、当該キャプション情報により示されるキャプションを、前記再生段階において再生された前記ビデオストリームに重畳するキャプション重畳段階と、
前記キャプション重畳段階においてキャプションが重畳された前記ビデオストリームを表示する表示段階と
を更に備える電子アルバム表示方法。
【請求項８】
複数の画像を含む電子アルバムを表示する電子アルバム表示方法であって、
ビデオストリーム格納部は、前記複数の画像をフレーム画像として含むビデオストリームを格納しており、
当該電子アルバム表示方法は、
再生部が前記ビデオストリームを再生する再生段階と、
リモートコントローラが無線通信によって前記再生部を遠隔操作するリモートコントロール段階と、
前記再生部により再生される前記ビデオストリームを表示する表示段階と
を備え、
前記リモートコントローラは、
前記複数の画像のうち、少なくとも一部の画像を再生するスケジュール、及び前記少なくとも一部の画像のそれぞれについて、当該画像が表示されている場合に再生されるナレーションを示すナレーション情報を格納しているスケジュール格納部
を有し、
前記リモートコントロール段階は、
前記少なくとも一部の画像のそれぞれを前記スケジュールに従って再生させるべく、前記再生部を遠隔操作する遠隔操作段階と、
前記再生部により再生されている前記画像に対応する前記ナレーション情報に基づいて、前記ナレーションを再生するナレーション再生段階と
を有する電子アルバム表示方法。
【請求項９】
ビデオストリームを再生する再生部を、無線通信によって遠隔操作するリモートコントローラであって、
前記ビデオストリームは複数の画像をフレーム画像として含み、
当該リモートコントローラは、
前記複数の画像のうち、少なくとも一部の画像を再生するスケジュール、及び前記少なくとも一部の画像のそれぞれについて、当該画像に重畳して表示されるキャプションを示すキャプション情報を格納しているスケジュール格納部と、
前記少なくとも一部の画像のそれぞれを前記スケジュールに従って再生させるべく、前記再生部を遠隔操作する遠隔操作部と、
前記再生部により再生されている前記画像に対応する前記キャプション情報を、無線通信によって送信するキャプション情報送信部と
を備えるリモートコントローラ。
【請求項１０】
ビデオストリームを再生する再生部を、無線通信によって遠隔操作するリモートコントローラであって、
前記ビデオストリームは複数の画像をフレーム画像として含み、
当該リモートコントローラは、
前記複数の画像のうち、少なくとも一部の画像を再生するスケジュール、及び前記少なくとも一部の画像のそれぞれについて、当該画像が表示されている場合に再生されるナレーションを示すナレーション情報を格納しているスケジュール格納部と、
前記少なくとも一部の画像のそれぞれを前記スケジュールに従って再生させるべく、前記再生部を遠隔操作する遠隔操作部と、
前記再生部により再生されている前記画像に対応する前記ナレーション情報に基づいて、前記ナレーションを再生するナレーション再生部と
を備えるリモートコントローラ。
【請求項１１】
ビデオストリームを再生する再生部を、無線通信によって遠隔操作するリモートコントローラを機能させるリモートコントロールプログラムであって、
前記ビデオストリームは複数の画像をフレーム画像として含み、
当該リモートコントロールプログラムは、
前記リモートコントローラを、
前記複数の画像のうち、少なくとも一部の画像を再生するスケジュール、及び前記少なくとも一部の画像のそれぞれについて、当該画像に重畳して表示されるキャプションを示すキャプション情報を格納しているスケジュール格納部と、
前記少なくとも一部の画像のそれぞれを前記スケジュールに従って再生させるべく、前記再生部を遠隔操作する遠隔操作部と、
前記再生部により再生されている前記画像に対応する前記キャプション情報を、無線通信によって送信するキャプション情報送信部と
を備えるリモートコントローラとして機能させるリモートコントロールプログラム。
【請求項１２】
ビデオストリームを再生する再生部を、無線通信によって遠隔操作するリモートコントローラを機能させるリモートコントロールプログラムであって、
前記ビデオストリームは複数の画像をフレーム画像として含み、
当該リモートコントロールプログラムは、
前記リモートコントローラを、
前記複数の画像のうち、少なくとも一部の画像を再生するスケジュール、及び前記少なくとも一部の画像のそれぞれについて、当該画像が表示されている場合に再生されるナレーションを示すナレーション情報を格納しているスケジュール格納部と、
前記少なくとも一部の画像のそれぞれを前記スケジュールに従って再生させるべく、前記再生部を遠隔操作する遠隔操作部と、
前記再生部により再生されている前記画像に対応する前記ナレーション情報に基づいて、前記ナレーションを再生するナレーション再生部と
を備えるリモートコントローラとして機能させるリモートコントロールプログラム。
【発明の詳細な説明】
【技術分野】
【０００１】
本発明は、電子アルバム表示システム、電子アルバム表示方法、リモートコントローラ、及びリモートコントロールプログラムに関する。特に本発明は、複数の画像を含む電子アルバムを表示する電子アルバム表示システム、及び電子アルバム表示方法、並びに当該電子アルバム表示システムにおいて用いられるリモートコントローラ、及びリモートコントロールプログラムに関する。
【背景技術】
【０００２】
近年、デジタルカメラが急速に普及しており、デジタルカメラの利用者は、プリントされていないデジタル画像データを数多く所有している。また、近年、ネガフィルムやプリント済みの写真をデジタイズし、デジタル画像データを作成するサービスが行われている。しかし、利用者がこれらのデジタル画像データを参照するためには、パーソナルコンピュータ等の情報機器を利用する必要があり、手軽さに欠けていた。
【０００３】
そこで、デジタル画像データをＭＰＥＧ２フォーマット等のビデオストリームとして加工して、ＤＶＤ−Ｖｉｄｅｏディスク等を作成することにより、利用者が、ＤＶＤプレイヤー等を用いて、当該デジタル画像データをスライドショー形式で参照することができる技術が公開されている（例えば、特許文献１参照。）。
【０００４】
【特許文献１】特開２００３−２５９３０３
【発明の開示】
【発明が解決しようとする課題】
【０００５】
しかしながら、特許文献１に記載の技術によれば、既に作成されたＤＶＤ−Ｖｉｄｅｏディスクに対して、スライドショーとして表示される画像の構成及び順序を変更することはできず、異なる構成及び順序で画像を表示する場合には、元のデジタル画像データから他のＤＶＤ−Ｖｉｄｅｏディスクを作成する必要があった。このため、利用者が、作成されたＤＶＤ−Ｖｉｄｅｏディスクを用いたスライドショーの内容に満足していない場合であっても、その内容を手軽に修正することができないという問題があった。
【０００６】
また、特許文献１に記載の技術において、利用者が、任意のキャプションを画像に重畳して表示したいと所望する場合に、ＤＶＤ−Ｖｉｄｅｏディスクの内容を改変することなく、任意のキャプションを画像に重畳して表示することができず、利用者にとって満足度の高いスライドショーを提供できていなかった。
【０００７】
そこで本発明は、上記の課題を解決することができ電子アルバム表示システム、電子アルバム表示方法、リモートコントローラ、及びリモートコントロールプログラムを提供することを目的とする。この目的は特許請求の範囲における独立項に記載の特徴の組み合わせにより達成される。また従属項は本発明の更なる有利な具体例を規定する。
【課題を解決するための手段】
【０００８】
上記課題を解決するために、本発明の第１の形態においては、複数の画像を含む電子アルバムを表示する電子アルバム表示システムであって、複数の画像をフレーム画像として含むビデオストリームを格納しているビデオストリーム格納部と、ビデオストリームを再生する再生部と、無線通信によって再生部を遠隔操作するリモートコントローラとを備え、リモートコントローラは、複数の画像のうち、少なくとも一部の画像を再生するスケジュール、及び少なくとも一部の画像のそれぞれについて、当該画像に重畳して表示されるキャプションを示すキャプション情報を格納しているスケジュール格納部と、少なくとも一部の画像のそれぞれをスケジュールに従って再生させるべく、再生部を遠隔操作する遠隔操作部と、再生部により再生されている画像に対応するキャプション情報を、無線通信によって送信するキャプション情報送信部とを有し、当該電子アルバム表示システムは、キャプション情報送信部が送信したキャプション情報を受信して、当該キャプション情報により示されるキャプションを、再生部が再生したビデオストリームに重畳するキャプション重畳部と、キャプション重畳部によりキャプションが重畳されたビデオストリームを表示する表示部とを更に備える。
【０００９】
リモートコントローラは、当該リモートコントローラから表示部への方向に対して略同一の方向に指向性を有する、光を検出する光検出部と、光検出部により検出された光の量の変化に基づいて、表示部により表示されている画像が変化するタイミングを検出する画像変化検出部とを更に有し、キャプション情報送信部は、遠隔操作部が、少なくとも一部の画像に含まれる一の画像を再生させるべく再生部を遠隔操作した後で、画像変化検出部が、表示部により表示されている画像の変化を検出したタイミングに同期して、当該一の画像に対応するキャプション情報を送信してもよい。リモートコントローラは、キャプション情報を入力するキャプション情報入力部を更に有し、スケジュール格納部は、キャプション情報入力部によって入力されたキャプション情報を、再生部により再生されている画像に対応付けて格納してもよい。
【００１０】
また、本発明の第２の形態においては、複数の画像を含む電子アルバムを表示する電子アルバム表示システムであって、複数の画像をフレーム画像として含むビデオストリームを格納しているビデオストリーム格納部と、ビデオストリームを再生する再生部と、無線通信によって再生部を遠隔操作するリモートコントローラと、再生部により再生されるビデオストリームを表示する表示部とを備え、リモートコントローラは、複数の画像のうち、少なくとも一部の画像を再生するスケジュール、及び少なくとも一部の画像のそれぞれについて、当該画像が表示されている場合に再生されるナレーションを示すナレーション情報を格納しているスケジュール格納部と、少なくとも一部の画像のそれぞれをスケジュールに従って再生させるべく、再生部を遠隔操作する遠隔操作部と、再生部により再生されている画像に対応するナレーション情報に基づいて、ナレーションを再生するナレーション再生部とを有する。
【００１１】
リモートコントローラは、当該リモートコントローラから表示部への方向に対して略同一の方向に指向性を有する、光を検出する光検出部と、光検出部により検出された光の量の変化に基づいて、表示部により表示されている画像が変化するタイミングを検出する画像変化検出部とを更に有し、ナレーション再生部は、遠隔操作部が、少なくとも一部の画像に含まれる一の画像を再生させるべく再生部を遠隔操作した後で、画像変化検出部が、表示部により表示されている画像の変化を検出したタイミングに同期して、当該一の画像に対応するナレーション情報に基づくナレーションの再生を開始してもよい。リモートコントローラは、ナレーション情報を入力するナレーション情報入力部を更に有し、スケジュール格納部は、ナレーション情報入力部によって入力されたナレーション情報を、再生部により再生されている画像に対応付けて格納してもよい。
【００１２】
また、本発明の第３の形態においては、複数の画像を含む電子アルバムを表示する電子アルバム表示方法であって、ビデオストリーム格納部は、複数の画像をフレーム画像として含むビデオストリームを格納しており、当該電子アルバム表示方法は、再生部がビデオストリームを再生する再生段階と、リモートコントローラが無線通信によって再生部を遠隔操作するリモートコントロール段階とを備え、リモートコントローラは、複数の画像のうち、少なくとも一部の画像を再生するスケジュール、及び少なくとも一部の画像のそれぞれについて、当該画像に重畳して表示されるキャプションを示すキャプション情報を格納しているスケジュール格納部を有し、リモートコントロール段階は、少なくとも一部の画像のそれぞれをスケジュールに従って再生させるべく、再生部を遠隔操作する遠隔操作段階と、再生部により再生されている画像に対応するキャプション情報を、無線通信によって送信するキャプション情報送信段階とを有し、当該電子アルバム表示方法は、キャプション情報送信段階において送信されたキャプション情報を受信して、当該キャプション情報により示されるキャプションを、再生段階において再生されたビデオストリームに重畳するキャプション重畳段階と、キャプション重畳段階においてキャプションが重畳されたビデオストリームを表示する表示段階とを更に備える。
【００１３】
また、本発明の第４の形態においては、複数の画像を含む電子アルバムを表示する電子アルバム表示方法であって、ビデオストリーム格納部は、複数の画像をフレーム画像として含むビデオストリームを格納しており、当該電子アルバム表示方法は、再生部がビデオストリームを再生する再生段階と、リモートコントローラが無線通信によって再生部を遠隔操作するリモートコントロール段階と、再生部により再生されるビデオストリームを表示する表示段階とを備え、リモートコントローラは、複数の画像のうち、少なくとも一部の画像を再生するスケジュール、及び少なくとも一部の画像のそれぞれについて、当該画像が表示されている場合に再生されるナレーションを示すナレーション情報を格納しているスケジュール格納部を有し、リモートコントロール段階は、少なくとも一部の画像のそれぞれをスケジュールに従って再生させるべく、再生部を遠隔操作する遠隔操作段階と、再生部により再生されている画像に対応するナレーション情報に基づいて、ナレーションを再生するナレーション再生段階とを有する。
【００１４】
また、本発明の第５の形態においては、ビデオストリームを再生する再生部を、無線通信によって遠隔操作するリモートコントローラであって、ビデオストリームは複数の画像をフレーム画像として含み、当該リモートコントローラは、複数の画像のうち、少なくとも一部の画像を再生するスケジュール、及び少なくとも一部の画像のそれぞれについて、当該画像に重畳して表示されるキャプションを示すキャプション情報を格納しているスケジュール格納部と、少なくとも一部の画像のそれぞれをスケジュールに従って再生させるべく、再生部を遠隔操作する遠隔操作部と、再生部により再生されている画像に対応するキャプション情報を、無線通信によって送信するキャプション情報送信部とを備える。
【００１５】
また、本発明の第６の形態においては、ビデオストリームを再生する再生部を、無線通信によって遠隔操作するリモートコントローラであって、ビデオストリームは複数の画像をフレーム画像として含み、当該リモートコントローラは、複数の画像のうち、少なくとも一部の画像を再生するスケジュール、及び少なくとも一部の画像のそれぞれについて、当該画像が表示されている場合に再生されるナレーションを示すナレーション情報を格納しているスケジュール格納部と、少なくとも一部の画像のそれぞれをスケジュールに従って再生させるべく、再生部を遠隔操作する遠隔操作部と、再生部により再生されている画像に対応するナレーション情報に基づいて、ナレーションを再生するナレーション再生部とを備える。
【００１６】
また、本発明の第７の形態においては、ビデオストリームを再生する再生部を、無線通信によって遠隔操作するリモートコントローラを機能させるリモートコントロールプログラムであって、ビデオストリームは複数の画像をフレーム画像として含み、当該リモートコントロールプログラムは、リモートコントローラを、複数の画像のうち、少なくとも一部の画像を再生するスケジュール、及び少なくとも一部の画像のそれぞれについて、当該画像に重畳して表示されるキャプションを示すキャプション情報を格納しているスケジュール格納部と、少なくとも一部の画像のそれぞれをスケジュールに従って再生させるべく、再生部を遠隔操作する遠隔操作部と、再生部により再生されている画像に対応するキャプション情報を、無線通信によって送信するキャプション情報送信部とを備えるリモートコントローラとして機能させる。
【００１７】
また、本発明の第８の形態においては、ビデオストリームを再生する再生部を、無線通信によって遠隔操作するリモートコントローラを機能させるリモートコントロールプログラムであって、ビデオストリームは複数の画像をフレーム画像として含み、当該リモートコントロールプログラムは、リモートコントローラを、複数の画像のうち、少なくとも一部の画像を再生するスケジュール、及び少なくとも一部の画像のそれぞれについて、当該画像が表示されている場合に再生されるナレーションを示すナレーション情報を格納しているスケジュール格納部と、少なくとも一部の画像のそれぞれをスケジュールに従って再生させるべく、再生部を遠隔操作する遠隔操作部と、再生部により再生されている画像に対応するナレーション情報に基づいて、ナレーションを再生するナレーション再生部とを備えるリモートコントローラとして機能させる。
【００１８】
なお、上記の発明の概要は、本発明の必要な特徴の全てを列挙したものではなく、これらの特徴群のサブコンビネーションもまた、発明となりうる。
【発明の効果】
【００１９】
本発明によれば、電子アルバムに含まれる画像を、既に作成されたビデオストリームにおける構成及び順序とは異なる構成及び順序で、スライドショーとして表示することができると共に、ＤＶＤ−Ｖｉｄｅｏディスクの内容を改変することなく、画像に任意のキャプションを重畳して表示することができる。
【発明を実施するための最良の形態】
【００２０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２１】
図１は、本発明の第１の実施形態に係る電子アルバム表示システム１０の構成の一例を示すブロック図である。電子アルバム表示システム１０は、複数の画像を含む電子アルバムを、当該複数の画像が順次切り替わるスライドショーとして表示する。電子アルバム表示システム１０は、ＤＶＤ−Ｖｉｄｅｏディスク１００、ＤＶＤ−Ｖｉｄｅｏ再生装置１１０、スケジュール生成装置１２０、リモートコントローラ１３０、キャプション重畳部１３５、及び表示部１４０を備える。また、リモートコントローラ１３０は、メモリカード２００、遠隔操作部２１０、光検出部２２０、画像変化検出部２３０、キャプション情報送信部２４０、及びキャプション情報入力部２５０を有する。
【００２２】
ＤＶＤ−Ｖｉｄｅｏディスク１００は、本発明におけるビデオストリーム格納部の一例であり、電子アルバムに含まれる複数の画像をフレーム画像として含むビデオストリームを格納している。具体的には、当該ビデオストリームは、ＭＰＥＧ２フォーマットのビデオストリームであり、電子アルバムに含まれる複数の画像のそれぞれを、例えば３秒等の予め定められた時間だけ連続するフレーム画像として含む。例えば、当該ビデオストリームは、電子アルバムに含まれる複数の画像のそれぞれを、ＭＰＥＧ２フォーマットにおける、他のフレーム画像を用いることなく再生可能なフレーム画像であるＩピクチャとして含むと共に、当該Ｉピクチャに予め定められた時間だけ続くフレーム画像として、差分が０であるＢピクチャまたはＰピクチャを含んでいてよい。
【００２３】
また、当該ビデオストリームは、電子アルバムに含まれる複数の画像を示すフレーム画像に加えて、それぞれの画像が切り替わる位置に、例えばワイプ等のトランジション効果を示すフレーム画像を含んでいてもよく、また、それぞれの画像もしくは連続する一連の画像に先だって、当該画像のタイトル等を示すフレーム画像を含んでいてもよい。また、当該ビデオストリームは、電子アルバムに含まれる複数の画像のそれぞれに対するアクセスを容易にするべく、当該画像を示す１以上の連続するフレーム画像を、ＤＶＤ−Ｖｉｄｅｏ規格におけるＰＴＴ（Ｐａｒｔ  ｏｆ  Ｔｉｔｌｅ）、即ちチャプターとして定義してよい。
【００２４】
ＤＶＤ−Ｖｉｄｅｏディスク１００は、ＤＶＤ−ＲＯＭやＤＶＤ−Ｒ等の書き換え不可能な記録媒体、及びＤＶＤ−ＲＷ等の書き換え可能な記録媒体の何れであってもよいが、記録されたビデオストリームを利用者が誤って消去してしまう危険性が低いので、書き換え不可能な記録媒体であることが好ましい。ＤＶＤ−Ｖｉｄｅｏディスク１００は、例えば、利用者からの依頼を受けたラボ等のサービスプロバイダによって、利用者により提出されたネガフィルム、プリント済みの写真、及びデジタルカメラの記録媒体等を用いて作成されてよい。そして、利用者は、作成されたＤＶＤ−Ｖｉｄｅｏディスク１００をＤＶＤプレイヤー等で再生することにより、電子アルバムに含まれる複数の画像が、ＤＶＤ−Ｖｉｄｅｏディスク１００の作成時に予め定められたスケジュールで切り替わって表示されるスライドショーとして楽しむことができる。
【００２５】
ここで、スケジュールとは、スライドショーとして再生及び表示される画像の構成、画像が再生及び表示される順序、及びそれぞれの画像が再生及び表示される時間等を示す情報を含んでいる。つまり、予め定められたスケジュールとは、電子アルバムに含まれる複数の画像が、ＤＶＤ−Ｖｉｄｅｏディスク１００に格納されているビデオストリームにフレーム画像として含まれる順序で、それぞれの画像を示すフレーム画像が連続する時間だけ、順次表示されるスケジュールを示す。
【００２６】
本発明の第１の実施形態に係る電子アルバム表示システム１０は、電子アルバムに含まれる画像が予め定められたスケジュールで表示されるべく作成されたビデオストリームを格納しているＤＶＤ−Ｖｉｄｅｏディスク１００を用いる場合であっても、電子アルバムに含まれる画像を、当該ビデオストリームにおける予め定められたスケジュールとは異なるスケジュールでスライドショーとして表示することを目的とする。
また、本発明の第１の実施形態に係る電子アルバム表示システム１０は、電子アルバムに含まれる画像を、任意のキャプションを重畳して表示することを更なる目的とする。
【００２７】
ＤＶＤ−Ｖｉｄｅｏ再生装置１１０は、例えばＤＶＤプレイヤーであり、ＤＶＤ−Ｖｉｄｅｏディスク１００に格納されているビデオストリームを再生し、当該ビデオストリームを示す映像信号をキャプション重畳部１３５に出力する。また、ＤＶＤ−Ｖｉｄｅｏ再生装置１１０は、赤外線受光器等の無線通信手段を有し、リモートコントローラ１３０と無線通信を行う。なお、ＤＶＤ−Ｖｉｄｅｏ再生装置１１０は、本発明における再生部の一例である。スケジュール生成装置１２０は、例えばパーソナルコンピュータであり、利用者の指示に従い、ＤＶＤ−Ｖｉｄｅｏディスク１００に格納されている情報に基づいてスライドショーのスケジュールを生成する。そして、スケジュール生成装置１２０は、生成したスケジュールをメモリカード２００に記録する。
【００２８】
リモートコントローラ１３０は、例えば赤外線通信等の無線通信によってＤＶＤ−Ｖｉｄｅｏ再生装置１１０を遠隔操作する。メモリカード２００は、リモートコントローラ１３０に対して交換可能に設けられる書き換え可能な記録媒体であり、ＤＶＤ−Ｖｉｄｅｏディスク１００に格納されているビデオストリームに含まれる複数の画像のうち、少なくとも一部の画像を再生するスケジュールを格納している。また、メモリカード２００は、当該少なくとも一部の画像のそれぞれについて、当該画像に重畳して表示されるキャプションを示すキャプション情報を格納している。ここで、キャプションとは、文字を含んでいてよく、また、図形を含んでいてもよい。メモリカード２００は、例えば、フラッシュメモリ等の不揮発性メモリを有し、リモートコントローラ１３０に設けられたスロットに挿入されることにより、リモートコントローラ１３０に対して交換可能に設けられてよい。なお、メモリカード２００は、本発明におけるスケジュール格納部の一例である。
【００２９】
遠隔操作部２１０は、電子アルバムに含まれる複数の画像のうち、少なくとも一部の画像のそれぞれを、メモリカード２００が格納しているスケジュールに従って再生させるべく、ＤＶＤ−Ｖｉｄｅｏ再生装置１１０を赤外線通信等の無線通信によって遠隔操作する。例えば、遠隔操作部２１０は、赤外線ＬＥＤ等を用いて、ＤＶＤ−Ｖｉｄｅｏ再生装置１１０に赤外線信号を送信することにより、ＤＶＤ−Ｖｉｄｅｏ再生装置１１０を遠隔操作する。ここで、遠隔操作部２１０が行うＤＶＤ−Ｖｉｄｅｏ再生装置１１０の操作とは、例えば、再生の開始、再生の停止、再生の一時停止、次のチャプターへの再生位置の変更、前のチャプターへの再生位置の変更、及び任意のチャプターへの再生位置の変更等である。
【００３０】
一般に、ＤＶＤ−Ｖｉｄｅｏ再生装置１１０が赤外線通信により遠隔操作される場合の通信内容は、ＤＶＤ−Ｖｉｄｅｏ再生装置１１０の機種毎に異なる。そこで、遠隔操作部２１０が、特定の機種のＤＶＤ−Ｖｉｄｅｏ再生装置１１０のみに対応可能としてではなく、多様な機種のＤＶＤ−Ｖｉｄｅｏ再生装置１１０に対応可能として設けられる場合、遠隔操作部２１０は、例えば、ＤＶＤ−Ｖｉｄｅｏ再生装置１１０の機種毎、及び当該機種における操作種別毎の、赤外線信号の波形等により示される通信内容を予め格納しており、利用者により指定されたＤＶＤ−Ｖｉｄｅｏ再生装置１１０の機種に応じた波形の赤外線信号を送出することにより、多様な機種のＤＶＤ−Ｖｉｄｅｏ再生装置１１０を制御してよい。なお、遠隔操作部２１０は、赤外線通信に代えて、ブルートゥース等の他の無線通信によりＤＶＤ−Ｖｉｄｅｏ再生装置１１０を遠隔操作してもよい。また、遠隔操作部２１０は、遠隔操作することにより再生を指示した画像に対応するキャプション情報を、メモリカード２００から抽出すると共に、キャプション情報送信部２４０に出力する。更に、遠隔操作部２１０は、遠隔操作することにより再生を指示した画像を示す情報をキャプション情報入力部２５０に出力する。
【００３１】
光検出部２２０は、例えばフォトダイオード等の光検出器を含み、光を検出する。ここで、光検出部２２０は、リモートコントローラ１３０から表示部１４０への方向に対して略同一の方向に指向性を有する。具体的には、光検出部２２０は、リモートコントローラ１３０から表示部１４０の方向に対して、リモートコントローラ１３０を中心とした、上下左右のそれぞれについて略２０度の範囲に含まれる方向に、指向性を有する。これにより、光検出部２２０は、表示部１４０が発する光を検出することができる。また、光検出部２２０は、遠隔操作部２１０がＤＶＤ−Ｖｉｄｅｏ再生装置１１０と無線通信を行うことにより検出した、リモートコントローラ１３０からＤＶＤ−Ｖｉｄｅｏ再生装置１１０への方向に対して略同一の方向に指向性を有していてもよい。また、光検出部２２０は、キャプション情報送信部２４０がキャプション重畳部１３５と無線通信を行うことにより検出した、リモートコントローラ１３０からキャプション重畳部１３５への方向に対して略同一の方向に指向性を有していてもよい。こうすることにより、ＤＶＤ−Ｖｉｄｅｏ再生装置１１０またはキャプション重畳部１３５が、表示部１４０の一例であるテレビ受像機等の近傍に設けられている場合に、表示部１４０が発する光を精度よく検出することができる。そして、光検出部２２０は、検出した光の量を示す情報を、画像変化検出部２３０に出力する。
【００３２】
画像変化検出部２３０は、光検出部２２０により検出された光の量の変化に基づいて、表示部１４０により表示されている画像が変化するタイミングを検出する。そして、画像変化検出部２３０は、検出したタイミングを示す情報を、キャプション情報送信部２４０、及びキャプション情報入力部２５０に出力する。キャプション情報送信部２４０は、ＤＶＤ−Ｖｉｄｅｏ再生装置１１０により再生されている画像に対応するキャプション情報を遠隔操作部２１０から受け取り、受け取ったキャプション情報を、例えば赤外線通信等の無線通信によって送信する。ここで、キャプション情報送信部２４０は、遠隔操作部２１０が、スライドショーとして表示される画像に含まれる一の画像を再生させるべく、ＤＶＤ−Ｖｉｄｅｏ再生装置１１０を遠隔操作した後で、画像変化検出部２３０が、表示部１４０により表示されている画像の変化を検出したタイミングに同期して、当該一の画像に対応するキャプション情報を送信してよい。
【００３３】
キャプション情報入力部２５０は、例えばリモートコントローラ１３０に設けられた文字入力手段等を含み、利用者の指示に基づいてキャプション情報を入力する。そして、キャプション情報入力部２５０は、入力したキャプション情報を、遠隔操作部２１０から受け取った情報により示される、ＤＶＤ−Ｖｉｄｅｏ再生装置１１０により再生されている画像に重畳されるキャプションを示すキャプション情報として、メモリカード２００に格納する。ここで、キャプション情報入力部２５０は、画像変化検出部２３０により検出されたタイミングに基づいて、キャプション情報送信部２４０と同様の方法で、表示部１４０により表示されている画像が何れの画像であるかを判定すると共に、当該表示されている画像に重畳されるキャプションを示すキャプション情報として、入力したキャプション情報を格納してもよい。
【００３４】
キャプション重畳部１３５は、赤外線受光器等の無線通信手段を有し、キャプション情報送信部２４０と無線通信を行うことにより、キャプション情報送信部２４０が送信したキャプション情報を受信する。そして、キャプション重畳部１３５は、公知のスーパーインポーズ技術等を用いることにより、受信したキャプション情報により示されるキャプションを、ＤＶＤ−Ｖｉｄｅｏ再生装置１１０が再生したビデオストリームを示す映像信号に重畳する。ここで、キャプション重畳部１３５は、当該キャプションを、映像信号に含まれる各フレーム画像の下部等の予め定められた領域に重畳してよい。そして、キャプション重畳部１３５は、キャプションを重畳した映像信号を、表示部１４０に出力する。表示部１４０は、例えば外部映像入力端子を備えるテレビ受像機であり、キャプション重畳部１３５から映像信号を受け取って表示する。
【００３５】
本発明の第１の実施形態に係る電子アルバム表示システム１０によれば、ＤＶＤ−Ｖｉｄｅｏディスク１００に格納されているビデオストリームをＤＶＤ−Ｖｉｄｅｏ再生装置１１０により再生する際に、リモートコントローラ１３０がＤＶＤ−Ｖｉｄｅｏ再生装置１１０を遠隔操作することにより、当該ビデオストリームにおける予め定められたスケジュールとは異なるスケジュール、具体的にはメモリカード２００に格納されているスケジュールでスライドショーを表示することができる。従来の電子アルバム表示システムにおいては、利用者は、ＤＶＤ−Ｖｉｄｅｏディスク１００に格納されているビデオストリームにおけるスケジュールとは異なるスケジュールでスライドショーを表示させたい場合、ラボ等に当該スケジュールに基づく新たなＤＶＤ−Ｖｉｄｅｏディスクの作成を依頼したり、また、新たなＤＶＤ−Ｖｉｄｅｏディスクを自ら作成したりする必要があった。しかし、本発明の第１の実施形態に係るリモートコントローラ１３０を用いることによって、ＤＶＤ−Ｖｉｄｅｏディスク１００と、ＤＶＤプレイヤーやテレビ受像機等の一般的な家庭用電気機器とを用いながらも、予め定められたスケジュールとは異なるスケジュールでスライドショーを表示することができるので、利用者の負担を軽減することができる。
【００３６】
また、本発明の第１の実施形態に係る電子アルバム表示システム１０によれば、リモートコントローラ１３０として、赤外線通信機能等の無線通信機能を有する携帯電話端末を利用することもできる。こうすることにより、リモートコントローラ１３０を別途購入するといった負担を利用者に強いることなく、予め定められたスケジュールとは異なるスケジュールでスライドショーを表示することができる。
【００３７】
更に、本発明の第１の実施形態に係る電子アルバム表示システム１０によれば、スライドショーを鑑賞する複数の利用者のそれぞれがリモートコントローラ１３０を有することができる。これにより、１枚のＤＶＤ−Ｖｉｄｅｏディスク１００の再生時に、それぞれの利用者が有するリモートコントローラ１３０に挿入されたメモリカード２００に格納されているスケジュールのそれぞれを順次切り替えつつ用いて、スライドショーを表示することができる。
【００３８】
また、本発明の第１の実施形態に係る電子アルバム表示システム１０によれば、ＤＶＤ−Ｖｉｄｅｏディスク１００の内容を改変することなく、メモリカード２００に格納されているキャプション情報により示されるキャプションがそれぞれの画像に重畳されたスライドショーを表示することができる。更に、キャプション情報送信部２４０が、表示されている画像が変化するタイミングに同期して、当該画像に重畳するキャプションを示すキャプション情報を送信することにより、画像とキャプションとの対応付けを、高い精度で制御することができる。
また、本発明の第１の実施形態に係る電子アルバム表示システム１０によれば、利用者が入力したキャプションを画像に重畳して表示することができるので、利用者にとって満足度の高いスライドショーを提供することができる。
【００３９】
なお、電子アルバム表示システム１０の構成は、本図に示した構成には限定されず、本図に示した構成に多様な変更を加えてもよい。例えば、ＤＶＤ−Ｖｉｄｅｏディスク１００に格納されているビデオストリームは、ＭＰＥＧ２フォーマットによるビデオストリームでなく、例えばＭＰＥＧフォーマットやＭＰＥＧ４フォーマット等の、他のフォーマットによるビデオストリームであってもよい。また、ＤＶＤ−Ｖｉｄｅｏディスク１００は、ＶｉｄｅｏＣＤディスク等の、他のフォーマットまたは他の規格に基づいた、光学記録媒体、磁気記録媒体、光磁気記録媒体、半導体記録媒体等の記録媒体であってもよい。この場合、ＤＶＤ−Ｖｉｄｅｏ再生装置１１０は、それらの記録媒体を用いてビデオストリームを再生することのできる再生装置であってよい。また、リモートコントローラ１３０は、メモリカード２００に代えて、他の交換可能な記録媒体を有してよく、また、交換可能な記録媒体に代えて、交換不可能な不揮発性メモリ等の記録媒体を有してもよい。
【００４０】
ここで、リモートコントローラ１３０が交換不可能な記録媒体を有している場合、スケジュール生成装置１２０は、リモートコントローラ１３０と有線通信または無線通信を行うことにより、生成したスケジュールを当該記録媒体に格納していてよい。また、リモートコントローラ１３０は、有線通信または無線通信を行う通信手段を有し、ＤＶＤ−Ｖｉｄｅｏディスク１００の作成元等により作成されたスケジュールをインターネット等のネットワークを介して取得すると共に、取得したスケジュールに基づいてＤＶＤ−Ｖｉｄｅｏ再生装置１１０を制御することにより、当該スケジュールに基づいたスライドショーを表示させてもよい。また、キャプション情報入力部２５０がキャプション情報を入力するのに代えて、スケジュール生成装置１２０が、それぞれの画像について、利用者の指示等に基づいてキャプション情報を生成し、メモリカード２００に格納してもよい。
【００４１】
図２は、本発明の第１の実施形態に係るメモリカード２００の一例を示す。メモリカード２００は、スライドショーのスケジュールとして、電子アルバムに含まれる複数の画像のうち、少なくとも一部の画像の再生順序、及び当該少なくとも一部の画像のそれぞれの、ビデオストリームにおける位置を示す情報を格納している。具体的には、メモリカード２００は、スライドショーのスケジュールとして、当該少なくとも一部の画像の再生順序、及び当該少なくとも一部の画像のそれぞれが含まれるチャプターを示す情報を格納している。より具体的には、メモリカード２００は、本図に示すように、電子アルバムに含まれる複数の画像のうち、スライドショーにおいて表示される少なくとも一部の画像について、それぞれの画像が含まれるチャプター、即ちＰＴＴを示す情報を、スライドショーとして表示される順に格納している。例えば、本図に示したスケジュールにおいては、スライドショーで最初に表示される画像は、３番目のチャプターにフレーム画像として含まれる。また、メモリカード２００は、スライドショーにおいて表示される画像のそれぞれの位置を示す情報として、当該画像が含まれるチャプターを示す情報に代えて、例えばビデオストリームの先頭等の予め定められた位置から当該画像までの再生時間を格納していてもよい。
【００４２】
更に、メモリカード２００は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。例えば、本図に示したスケジュールにおいては、スライドショーで最初に表示される画像の再生持続時間は３秒である。
【００４３】
更に、メモリカード２００は、スライドショーにおいて表示される画像のそれぞれについて、当該画像に重畳して表示されるキャプションを示すキャプション情報を格納している。ここで、キャプション情報とは、例えば本図に示すように、文字情報であってよい。なお、メモリカード２００は、必ずしもすべての画像に対応付けて有意なキャプション情報を格納していなくともよく、キャプションを表示するべく定められていない画像については、対応するキャプション情報を格納していなくともよい。
【００４４】
図３は、本発明の第１の実施形態に係る電子アルバム表示システム１０における処理の流れの一例を示すフローチャートである。本例において、ＤＶＤ−Ｖｉｄｅｏディスク１００は、既にＤＶＤ−Ｖｉｄｅｏ再生装置１１０に挿入されているとする。また、遠隔操作部２１０は、例えば、再生の開始を示す赤外線信号をＤＶＤ−Ｖｉｄｅｏ再生装置１１０に送信することにより、ＤＶＤ−Ｖｉｄｅｏ再生装置１１０にビデオストリームの再生を開始させているとする。以下、電子アルバム表示システム１０が、ＤＶＤ−Ｖｉｄｅｏディスク１００に格納されているビデオストリームにより定められたスケジュールとは異なるスケジュールに従ってスライドショーを表示する処理の流れを説明する。
【００４５】
電子アルバム表示システム１０は、以下の処理を、メモリカード２００に格納されているスケジュールにより示される、電子アルバムに含まれる複数の画像のうち少なくとも一部の画像における再生順序に従って、当該少なくとも一部の画像のそれぞれについて繰り返す（Ｓ１０００）。
【００４６】
まず、遠隔操作部２１０は、ＤＶＤ−Ｖｉｄｅｏ再生装置１１０におけるビデオストリームの再生位置を、メモリカード２００に格納されているスケジュールが示す当該画像の位置に変更させるべく、ＤＶＤ−Ｖｉｄｅｏ再生装置１１０を遠隔操作する（Ｓ１０１０）。具体的には、遠隔操作部２１０は、ビデオストリームの再生位置を、メモリカード２００に格納されているスケジュールが示す、当該画像が含まれるチャプターの先頭位置に変更させるべく、ＤＶＤ−Ｖｉｄｅｏ再生装置１１０を遠隔操作する。例えば、遠隔操作部２１０は、当該チャプターの先頭位置へ再生位置を変更する旨を示す赤外線信号をＤＶＤ−Ｖｉｄｅｏ再生装置１１０に送信することにより、ビデオストリームの再生位置を所望のチャプターに変更させる。このようにして、遠隔操作部２１０は、ＤＶＤ−Ｖｉｄｅｏ再生装置１１０に当該画像を再生させる。また、ＤＶＤ−Ｖｉｄｅｏ再生装置１１０は、遠隔操作部２１０から遠隔操作されない場合には、通常通りにビデオストリームの再生を続行してよい。これにより、電子アルバム表示システム１０は、例えば、遠隔操作部２１０からの無線通信信号が、一時的にＤＶＤ−Ｖｉｄｅｏ再生装置１１０に届かない場合であっても、スライドショーの表示を中断することなく続行することができる。また、これにより、電子アルバム表示システム１０は、メモリカード２００に格納されているスケジュールにおいて、前後して表示するべく示されている２つの画像のそれぞれが含まれるチャプターが、同様に前後して存在している場合に、遠隔操作部２１０がＤＶＤ−Ｖｉｄｅｏ再生装置１１０を遠隔操作しなくとも、スケジュールに従って画像を表示させることができる。なお、遠隔操作部２１０は、ビデオストリームの再生位置を、当該画像が含まれるチャプターの先頭位置に変更するのに代えて、チャプター内の他の位置に変更してもよい。
【００４７】
続いて、遠隔操作部２１０は、ＤＶＤ−Ｖｉｄｅｏ再生装置１１０により当該画像が再生された状態で、ビデオストリームの再生を一時停止させるべく、ＤＶＤ−Ｖｉｄｅｏ再生装置１１０を遠隔操作する（Ｓ１０２０）。例えば、遠隔操作部２１０は、再生の一時停止を示す赤外線信号をＤＶＤ−Ｖｉｄｅｏ再生装置１１０に送信することにより、ビデオストリームの再生を一時停止させる。
【００４８】
続いて、画像変化検出部２３０は、表示部１４０により表示されている画像の変化を検出する（Ｓ１０３０）。続いて、キャプション情報送信部２４０は、当該画像に対応するキャプション情報を、無線通信によって送信する（Ｓ１０４０）。続いて、キャプション重畳部１３５は、ＤＶＤ−Ｖｉｄｅｏ再生装置１１０が出力した映像信号に、キャプション情報送信部２４０が送信したキャプション情報により示されるキャプションを重畳する（Ｓ１０５０）。これにより、表示部１４０は、キャプションが重畳された当該画像を表示することができる。
【００４９】
続いて、遠隔操作部２１０は、ＤＶＤ−Ｖｉｄｅｏ再生装置１１０にビデオストリームの再生を一時停止させた後、メモリカード２００に格納されているスケジュールにより示される、当該画像における再生持続時間が経過したか否かを判定する（Ｓ１０６０）。そして、遠隔操作部２１０が、未だ再生持続時間が経過していないと判定した場合（Ｓ１０６０：Ｎｏ）、電子アルバム表示システム１０は、処理をＳ１０６０に戻し、遠隔操作部２１０に、再生持続時間が経過したか否かを再度判定させる。一方、再生持続時間が経過していると判定した場合、つまり、再生持続時間の間、ＤＶＤ−Ｖｉｄｅｏ再生装置１１０において一時停止状態が持続されていると判定した場合（Ｓ１０６０：Ｙｅｓ）、遠隔操作部２１０は、ＤＶＤ−Ｖｉｄｅｏ再生装置１１０におけるビデオストリームの再生の一時停止を解除させる（Ｓ１０７０）。具体的には、遠隔操作部２１０は、再生の一時停止の解除を示す赤外線信号をＤＶＤ−Ｖｉｄｅｏ再生装置１１０に送信することにより、ビデオストリームの再生の一時停止を解除させる。
【００５０】
そして、電子アルバム表示システム１０は、以上の処理を、電子アルバムに含まれる複数の画像のうち、少なくとも一部の画像のそれぞれについて繰り返す（Ｓ１０８０）。
【００５１】
本発明の第１の実施形態に係る電子アルバム表示システム１０によれば、メモリカード２００に格納されているスケジュールに従って、ＤＶＤ−Ｖｉｄｅｏ再生装置１１０におけるビデオストリームの再生位置を順次変更することにより、ビデオストリームにおける構成及び順序とは異なる構成及び順序で、電子アルバムに含まれる画像をスライドショーとして順次表示することができる。
【００５２】
また、本発明の第１の実施形態に係る電子アルバム表示システム１０によれば、スライドショーとして表示する画像が再生された状態で、ビデオストリームの再生を一時停止すると共に、メモリカード２００に格納されているスケジュールにより示される再生持続時間の間、一時停止状態を持続することにより、ビデオストリームにおいて予め定められた画像毎の表示時間とは異なる表示時間で、それぞれの画像を表示することができる。
【００５３】
更に、ビデオストリームの再生を一時停止して、それぞれの画像を表示させ続けることにより、ビデオストリームにおいてそれぞれの画像がフレーム画像として含まれる時間を、表示時間より短くすることができる。これにより、ビデオストリームの再生位置を変更したり、また再生を一時停止したりすることなくスライドショーを表示する場合に比べて、１枚のＤＶＤ−Ｖｉｄｅｏディスク１００に、より多くの画像を格納することができる。
【００５４】
なお、電子アルバム表示システム１０における処理の流れは、本図に示した内容に限定されず、本図に示した内容に多様な変更を加えてもよい。例えば、遠隔操作部２１０は、ビデオストリームの再生の一時停止を、次の画像を表示すべく再生位置を変更させた後で解除させてもよい。これにより、再生の一時停止を解除した後で、次の画像を示すフレーム画像に再生位置を変更する場合に、他の画像を示す不適切なフレーム画像が再生される様な、各画像の収録時間が短いビデオストリームを用いる場合であっても、不適切なフレーム画像が再生されることを防止することができる。また、ＤＶＤ−Ｖｉｄｅｏ再生装置１１０が、ビデオストリームの再生位置の変更に伴い、再生の一時停止を自動的に解除する場合には、遠隔操作部２１０は、再生の一時停止の解除を行わなくともよい。また、例えば、電子アルバムに含まれる複数の画像のそれぞれが含まれるチャプター内のＰＧＣ（Ｐｒｏｇｒａｍ  Ｃｈａｉｎ）の再生後に実行されるポストコマンドとして再生の一時停止が登録されている場合等のように、それぞれの画像を再生した状態で、ＤＶＤ−Ｖｉｄｅｏ再生装置１１０がビデオストリームの再生を一時停止するべく、ビデオストリームが作成されている場合、遠隔操作部２１０は、ビデオストリームの再生を一時停止させるべくＤＶＤ−Ｖｉｄｅｏ再生装置１１０を遠隔操作しなくともよい。
【００５５】
図４は、本発明の第２の実施形態に係る電子アルバム表示システム２０の構成の一例を示すブロック図である。電子アルバム表示システム２０は、複数の画像を含む電子アルバムを、当該複数の画像が順次切り替わるスライドショーとして表示する。電子アルバム表示システム２０は、ＤＶＤ−Ｖｉｄｅｏディスク１００、ＤＶＤ−Ｖｉｄｅｏ再生装置１１０、スケジュール生成装置１２０、リモートコントローラ１３２、及び表示部１４０を備える。また、リモートコントローラ１３２は、メモリカード２００、遠隔操作部２１０、光検出部２２０、画像変化検出部２３０、ナレーション再生部３４０、音声出力部３５０、及びナレーション情報入力部３６０を有する。以下、本図に示した部材のうち、図１に示した部材と同一の符号を付した部材は、図１において説明した機能と略同一の機能を有するので、相違点を除き、説明を省略する。
【００５６】
本発明の第２の実施形態に係る電子アルバム表示システム２０は、電子アルバムに含まれる画像が予め定められたスケジュールで表示されるべく作成されたビデオストリームを格納しているＤＶＤ−Ｖｉｄｅｏディスク１００を用いる場合であっても、電子アルバムに含まれる画像を、当該ビデオストリームにおける予め定められたスケジュールとは異なるスケジュールでスライドショーとして表示することを目的とする。
また、本発明の第２の実施形態に係る電子アルバム表示システム２０は、スライドショーとして画像を表示する場合に、表示する画像に対応する、任意のナレーションを再生することを更なる目的とする。
【００５７】
ＤＶＤ−Ｖｉｄｅｏ再生装置１１０は、ＤＶＤ−Ｖｉｄｅｏディスク１００に格納されているビデオストリームを再生し、当該ビデオストリームを示す映像信号を表示部１４０に出力する。ＤＶＤ−Ｖｉｄｅｏ再生装置１１０は、本発明における再生部の一例である。リモートコントローラ１３２は、例えば赤外線通信等の無線通信によってＤＶＤ−Ｖｉｄｅｏ再生装置１１０を遠隔操作する。メモリカード２００は、リモートコントローラ１３２に対して交換可能に設けられる書き換え可能な記録媒体であり、ＤＶＤ−Ｖｉｄｅｏディスク１００に格納されているビデオストリームに含まれる複数の画像のうち、少なくとも一部の画像を再生するスケジュールを格納している。また、メモリカード２００は、当該少なくとも一部の画像のそれぞれについて、当該画像が表示されている場合に再生されるナレーションを示すナレーション情報を格納している。ここで、ナレーションとは、例えば人の音声であってよく、また、ナレーション情報とは、例えば人の音声を示す音声データであってよい。また、メモリカード２００は、必ずしもすべての画像に対応付けて有意なナレーション情報を格納していなくともよく、ナレーションを再生するべく定められていない画像については、対応するナレーション情報を格納していなくともよい。なお、メモリカード２００は、本発明におけるスケジュール格納部の一例である。
【００５８】
遠隔操作部２１０は、電子アルバムに含まれる複数の画像のうち、少なくとも一部の画像のそれぞれを、メモリカード２００が格納しているスケジュールに従って再生させるべく、ＤＶＤ−Ｖｉｄｅｏ再生装置１１０を赤外線通信等の無線通信によって遠隔操作する。また、遠隔操作部２１０は、遠隔操作することにより再生を指示した画像に対応するナレーション情報を、メモリカード２００から抽出すると共に、ナレーション再生部３４０に出力する。更に、遠隔操作部２１０は、遠隔操作することにより再生を指示した画像を示す情報をナレーション情報入力部３６０に出力する。
【００５９】
画像変化検出部２３０は、光検出部２２０により検出された光の量の変化に基づいて、表示部１４０により表示されている画像が変化するタイミングを検出する。そして、画像変化検出部２３０は、検出したタイミングを示す情報を、ナレーション再生部３４０、及びナレーション情報入力部３６０に出力する。ナレーション再生部３４０は、ＤＶＤ−Ｖｉｄｅｏ再生装置１１０により再生されている画像に対応するナレーション情報に基づいて、ナレーションを再生する。ここで、ナレーション再生部３４０は、遠隔操作部２１０が、スライドショーとして表示される画像に含まれる一の画像を再生させるべく、ＤＶＤ−Ｖｉｄｅｏ再生装置１１０を遠隔操作した後で、画像変化検出部２３０が、表示部１４０により表示されている画像の変化を検出したタイミングに同期して、当該一の画像に対応するナレーション情報に基づくナレーションの再生を開始してよい。そして、ナレーション再生部３４０は、再生したナレーションを示す音声信号を、音声出力部３５０に出力する。音声出力部３５０は、例えばリモートコントローラ１３２に設けられたスピーカであり、ナレーション再生部３４０がナレーションを再生することにより出力した音声信号を、音声として出力する。
【００６０】
ナレーション情報入力部３６０は、例えばリモートコントローラ１３２に設けられたマイクロフォン等の集音手段を含み、利用者が発生した音声等に基づいてナレーション情報を入力する。そして、ナレーション情報入力部３６０は、入力したナレーション情報を、遠隔操作部２１０から受け取った情報により示される、ＤＶＤ−Ｖｉｄｅｏ再生装置１１０により再生されている画像が表示されている場合に再生されるナレーションを示すナレーション情報として、メモリカード２００に格納する。ここで、ナレーション情報入力部３６０は、画像変化検出部２３０により検出されたタイミングに基づいて、ナレーション再生部３４０と同様の方法で、表示部１４０により表示されている画像が何れの画像であるかを判定すると共に、当該表示されている画像に対応するナレーション情報として、入力したナレーション情報を格納してもよい。表示部１４０は、例えば外部映像入力端子を備えるテレビ受像機であり、ＤＶＤ−Ｖｉｄｅｏ再生装置１１０から映像信号を受け取って表示する。
【００６１】
本発明の第２の実施形態に係る電子アルバム表示システム２０によれば、ＤＶＤ−Ｖｉｄｅｏディスク１００の内容を改変することなく、メモリカード２００に格納されているナレーション情報により示されるナレーションを、それぞれの画像の表示中に再生することができる。更に、ナレーション再生部３４０が、表示されている画像が変化するタイミングに同期して、当該画像の表示中に再生するナレーションの再生を開始することにより、画像とナレーションとの対応付けを、高い精度で制御することができる。
【００６２】
また、本発明の第２の実施形態に係る電子アルバム表示システム２０によれば、利用者が入力したナレーションを、それぞれの画像の表示中に再生することができるので、利用者にとって満足度の高いスライドショーを提供することができる。更に、リモートコントローラ１３２が有する音声出力部３５０を用いてナレーションを示す音声を出力することにより、ＤＶＤ−Ｖｉｄｅｏ再生装置１１０や表示部１４０として、ＤＶＤプレイヤーやテレビ受像機等の一般的な家庭用電気機器を用いながらも、メモリカード２００に格納されているナレーションを再生することができる。
【００６３】
なお、電子アルバム表示システム２０の構成は、本図に示した構成には限定されず、本図に示した構成に多様な変更を加えてもよい。例えば、ナレーション情報入力部３６０がナレーション情報を入力するのに代えて、スケジュール生成装置１２０が、それぞれの画像について、利用者の指示等に基づいてナレーション情報を生成し、メモリカード２００に格納してもよい。また、本例においては、リモートコントローラ１３２は、音声出力部３５０を含むとして説明したが、これに変えて、ナレーション再生部３４０がナレーションを再生することにより出力した音声信号を、例えば赤外線通信等の無線通信によって送信する音声信号送信部を含んでいてもよい。この場合、電子アルバム表示システム２０は、当該音声信号送信部により送信された音声信号を受信すると共に、受信した音声信号を音声として出力する音声出力部を、リモートコントローラ１３２の外部に備えていてもよい。こうすることにより、リモートコントローラ１３２がスピーカ等の音声出力手段を有していない場合であっても、メモリカード２００に格納されているナレーションを再生することができる。
【００６４】
図５は、本発明の第２の実施形態に係る電子アルバム表示システム２０における処理の流れの一例を示すフローチャートである。また、遠隔操作部２１０は、例えば、再生の開始を示す赤外線信号をＤＶＤ−Ｖｉｄｅｏ再生装置１１０に送信することにより、ＤＶＤ−Ｖｉｄｅｏ再生装置１１０にビデオストリームの再生を開始させているとする。以下、電子アルバム表示システム２０が、ＤＶＤ−Ｖｉｄｅｏディスク１００に格納されているビデオストリームにより定められたスケジュールとは異なるスケジュールに従ってスライドショーを表示する処理の流れを説明する。
【００６５】
電子アルバム表示システム２０は、以下の処理を、メモリカード２００に格納されているスケジュールにより示される、電子アルバムに含まれる複数の画像のうち少なくとも一部の画像における再生順序に従って、当該少なくとも一部の画像のそれぞれについて繰り返す（Ｓ１１００）。
【００６６】
まず、遠隔操作部２１０は、ＤＶＤ−Ｖｉｄｅｏ再生装置１１０におけるビデオストリームの再生位置を、メモリカード２００に格納されているスケジュールが示す当該画像の位置に変更させるべく、ＤＶＤ−Ｖｉｄｅｏ再生装置１１０を遠隔操作する（Ｓ１１１０）。続いて、遠隔操作部２１０は、ＤＶＤ−Ｖｉｄｅｏ再生装置１１０により当該画像が再生された状態で、ビデオストリームの再生を一時停止させるべく、ＤＶＤ−Ｖｉｄｅｏ再生装置１１０を遠隔操作する（Ｓ１１２０）。続いて、画像変化検出部２３０は、表示部１４０により表示されている画像の変化を検出する（Ｓ１１３０）。続いて、ナレーション再生部３４０は、当該画像に対応するナレーション情報に基づくナレーションの再生を開始し、当該ナレーションを示す音声信号を音声出力部３５０に出力することにより、音声出力部３５０に、当該ナレーションを音声として出力させる（Ｓ１１４０）。
【００６７】
続いて、遠隔操作部２１０は、ＤＶＤ−Ｖｉｄｅｏ再生装置１１０にビデオストリームの再生を一時停止させた後、メモリカード２００に格納されているスケジュールにより示される、当該画像における再生持続時間が経過したか否かを判定する（Ｓ１１５０）。そして、遠隔操作部２１０が、未だ再生持続時間が経過していないと判定した場合（Ｓ１１５０：Ｎｏ）、電子アルバム表示システム２０は、処理をＳ１１５０に戻し、遠隔操作部２１０に、再生持続時間が経過したか否かを再度判定させる。一方、再生持続時間が経過していると判定した場合、つまり、再生持続時間の間、ＤＶＤ−Ｖｉｄｅｏ再生装置１１０において一時停止状態が持続されていると判定した場合（Ｓ１１５０：Ｙｅｓ）、遠隔操作部２１０は、ＤＶＤ−Ｖｉｄｅｏ再生装置１１０におけるビデオストリームの再生の一時停止を解除させる（Ｓ１１６０）。
【００６８】
そして、電子アルバム表示システム２０は、以上の処理を、電子アルバムに含まれる複数の画像のうち、少なくとも一部の画像のそれぞれについて繰り返す（Ｓ１１７０）。
【００６９】
図６は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＤＶＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００７０】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００７１】
入出力コントローラ１５８４は、ホスト・コントローラ１５８２と、比較的高速な入出力装置である通信インターフェイス１５３０、ハードディスクドライブ１５４０、ＤＶＤ−ＲＯＭドライブ１５６０を接続する。また、入出力コントローラ１５８４は、コンピュータ１５００に設けられたスロットに挿入される等してコンピュータ１５００に接続されたメモリカード２００と通信し、メモリカード２００からプログラム又はデータを入力すると共に、メモリカード２００に、プログラム、又は、例えばコンピュータ１５００において作成されたスケジュールやキャプション情報、ナレーション情報等を出力する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＤＶＤ−ＲＯＭドライブ１５６０は、ＤＶＤ−ＲＯＭ１５９５からプログラム又はデータを読み取り、ＲＡＭ１５２０を介してハードディスクドライブ１５４０に提供する。
【００７２】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７３】
ＲＡＭ１５２０を介してハードディスクドライブ１５４０に提供されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図５にかけて説明したスケジュール生成装置１２０として機能させるスケジュール生成プログラムである。
【００７４】
また、メモリカード２００に出力されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してメモリカード２００に出力され、リモートコントローラ１３０またはリモートコントローラ１３２に提供される。リモートコントローラ１３０またはリモートコントローラ１３２に提供されるプログラムは、リモートコントローラ１３０またはリモートコントローラ１３２においてインストールされて実行される。リモートコントローラ１３０またはリモートコントローラ１３２にインストールされて実行されるプログラムは、リモートコントローラ１３０またはリモートコントローラ１３２を、図１から図５にかけて説明したリモートコントローラ１３０またはリモートコントローラ１３２として機能させるリモートコントロールプログラムである。なお、リモートコントローラ１３０またはリモートコントローラ１３２に提供されるプログラムは、本図に示した形態に限定されず、他の形態でリモートコントローラ１３０またはリモートコントローラ１３２に提供されてもよい。
【００７５】
以上に示したプログラムは、外部の記憶媒体に格納されてもよい。記憶媒体としては、フレキシブルディスク１５９０、ＤＶＤ−ＲＯＭ１５９５の他に、ＣＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７７】
【図１】本発明の第１の実施形態に係る電子アルバム表示システム１０の構成の一例を示すブロック図である。
【図２】本発明の第１の実施形態に係るメモリカード２００の一例を示す図である。
【図３】本発明の第１の実施形態に係る電子アルバム表示システム１０における処理の流れの一例を示すフローチャートである。
【図４】本発明の第２の実施形態に係る電子アルバム表示システム２０の構成の一例を示すブロック図である。
【図５】本発明の第２の実施形態に係る電子アルバム表示システム２０における処理の流れの一例を示すフローチャートである。
【図６】本発明の実施形態に係るコンピュータ１５００のハードウェア構成の一例を示すブロック図である。
【符号の説明】
【００７８】
１０  電子アルバム表示システム、２０  電子アルバム表示システム、１００  ＤＶＤ−Ｖｉｄｅｏディスク、１１０  ＤＶＤ−Ｖｉｄｅｏ再生装置、１２０  スケジュール生成装置、１３０  リモートコントローラ、１３２  リモートコントローラ、１３５  キャプション重畳部、１４０  表示部、２００  メモリカード、２１０  遠隔操作部、２２０  光検出部、２３０  画像変化検出部、２４０  キャプション情報送信部、２５０  キャプション情報入力部、３４０  ナレーション再生部、３５０  音声出力部、３６０  ナレーション情報入力部
【図１】
2005341512.tif 000003
【図２】
2005341512.tif 000004
【図３】
2005341512.tif 000005
【図４】
2005341512.tif 000006
【図５】
2005341512.tif 000007
【図６】
2005341512.tif 000008